(57)【特許請求の範囲】
【請求項１】
上面の無い箱体であって前面に開口部を有する下箱と、
下面の無い箱体であって前面に開口部を有し前記下箱の内側周面に外側周面が昇降自在に嵌る上箱と、
前記下箱の内側周面と前記上箱の外側周面の間に少なくとも一組設けた動滑車構造と、
その動滑車構造は前記下箱に取付ける定滑車と、
前記上箱に取付ける動滑車と、
その動滑車と前記定滑車に懸け回す紐体と、
その紐体を前記下箱の前面近傍で牽引する手段とでなる家具転倒防止具。
【請求項２】
上面の無い箱体であって前面に開口部を有する下箱と、
下面の無い箱体であって前面に開口部を有し前記下箱の内側周面に外側周面が昇降自在に嵌る上箱と、
前記下箱の内側周面と前記上箱の外側周面の間に少なくとも一組設けた巻き上げ構造と、
その巻き上げ構造は前記下箱の内側上部に取付ける滑車と、
前記下箱の内側の下部に設けた回転軸と、
前記滑車に懸け回し前記回転軸と前記上箱の外側下部に係止する紐体と、
前記回転軸を回すハンドルと、
前記回転軸の回転の固定と解除の手段とでなる家具転倒防止具。
【請求項３】
前記滑車の真下から前記下箱の前面側にかけて前記回転軸に設けた前記紐体の巻き付け所要寸法の巻き付け部と、
その巻き付け部の前記下箱の前面側に前記紐体の一端を係止する係止部とでなる請求項２の家具転倒防止具。
【請求項４】
前記下箱の一部面または全部面をネット状に形成し、前記上箱の一部面又は全部面をネット状に形成し、そのネットの網目の一部を前記紐体の通し部にした請求項１から３のいずれかの家具転倒防止具。
【請求項５】
前記定滑車と、前記動滑車と前記滑車のいずれかの代替として、少なくとも前記紐体と接触する部位を滑り材により形成した滑り部よりなる請求項１から４のいずれかの家具転倒防止具。
【発明の詳細な説明】
【技術分野】
【０００１】  本発明は、地震の際の危険防止を図った家具転倒防止具に関する。
【背景技術】
【０００２】  従来の家具転倒防止具には、下箱と上箱の高さ調整をして家具の天板と天井に圧接させるものがある（例えば、特許文献１参照。）【０００３】  特許文献１は、下箱と上箱を略適当位置で結束ヒモ部材により連結し、屈曲部をヒモ部材で引っ張り上箱を上昇させ天井に圧接させるものである。
【先行技術文献】
【特許文献】
【０００４】
【特許文献１】  特許第３７９９０５４号公報
【発明の概要】
【発明が解決しようとする課題】
【０００５】  以上に述べた従来の家具転倒防止具は、家具転倒を防止する効果を有するものの、高さ調整をする部位が上箱の前後方向の略中央の上部に位置しているため、設置する際や、設置後の定期的に天井への加圧メンテナンスをする際は、利用者によっては手が届かないため踏み台が必要となり、踏み台から転落などの危険がある。【０００６】  本発明は、このような従来の構成が有していた問題を解決しようとするものであり、利用者の手が届きやすい部位に調整部を設け、踏み台を使うことなく設置とメンテナンスが可能となる家具転倒防止具を実現することを目的とするものである。
【課題を解決するための手段】
【０００７】  上面の無い箱体であって前面に開口部を有する下箱と、
下面の無い箱体であって前面に開口部を有し下箱の内側周面に外側周面が昇降自在に嵌る上箱と、
下箱の内側周面と上箱の外側周面の間に少なくとも一組設けた動滑車構造と、
その動滑車構造は下箱に取付ける定滑車と、
上箱に取付ける動滑車と、
その動滑車と定滑車に懸け回す紐体と、
その紐体を下箱の前面近傍で牽引する手段を設ける。【０００８】    上面の無い箱体であって前面に開口部を有する下箱と、
下面の無い箱体であって前面に開口部を有し下箱の内側周面に外側周面が昇降自在に嵌る上箱と、
下箱の内側周面と上箱の外側周面の間に少なくとも一組設けた巻き上げ構造と、
その巻き上げ構造は下箱の内側上部に取付ける滑車と、
下箱の内側の下部に設けた回転軸と、
滑車に懸け回し回転軸と上箱の外側下部に係止する紐体と、
回転軸を回すハンドルと、
その回転軸の回転の固定と解除の手段とを設ける。【０００９】  滑車の真下から下箱の前面側にかけて回転軸に設けた紐体の巻き付け所要寸法の巻き付け部と、
その巻き付け部の下箱の前面側に紐体の一端を係止する係止部を設ける。【００１０】  下箱の一部面または全部面をネット状に形成し、上箱の一部面又は全部面をネット状に形成し、そのネットの網目の一部を紐体の通し部にしたものである。【００１１】  定滑車と、動滑車と滑車のいずれかの代替として、少なくとも紐体と接触する部位を滑り材により形成した滑り部を設けた
【発明の効果】
【００１２】  請求項１では、図１に示すとおり、踏み台を使うことなく設置とその後の天井への加圧メンテナンスができて安全である。動滑車の原理により少ない力で天井への圧接ができる。【００１３】  請求項２の効果は、踏み台を使うことなく設置とその後のメンテナンスができて安全である。巻き上げ軸の直径よりハンドルを回す径が大きいため梃子の原理により少ない力で天井への圧接ができる。【００１４】  請求項３の効果は、巻き付け部の前方寄りに紐体の係止部を設けたことで、滑車から斜め前方になり巻き付け部に紐体が直接接して巻き付けられ強力に巻き付けられる。【００１５】  請求項４の効果は、ネットの網目を紐の懸け回し部に利用でき装置の位置の自由度が高くなる。視界を遮らないので圧迫感が無く、光が網目をとおり天井が明るい上、通気性が良くカビの発生を防げる。紐体の懸け回し時に網目を通して作業できる。木材などの板材と比べ薄いため、各面の結合部を枠の丸棒を芯にしたヒンジ状にすることで折り畳み可能になり、輸送から陳列まで有利である。【００１６】  請求項５の効果は、紐体の懸け回し部を滑り材で形成することで、回転部分を減らし構造を単純化させコストダウンになる。
【図面の簡単な説明】
【００１７】
【図１】本発明の使用状態と、従来の構成と比較して効果を示す側面図である。
【図２】動滑車の構成を示す斜視図であり、（ｃ）は模式図である。
【図３】ローラーと滑り材の採用を説明する斜視図であり、（ｃ）は模式図である。
【図４】ワイヤーネットの採用を説明する（ａ）は斜視図であり、（ｂ）は模式図である。
【図５】巻き上げ構造を示す（ａ）は平面図であり、（ｂ）は正面図であり、（ｃ）〜（ｅ）は側面図である。
【発明を実施するための形態】
【００１８】  以下本発明の実施の形態を図１〜図５に基づいて説明する。
文中での紐体３３は、鎖と、ワイヤーと、ロープと、紐などを用いることができるが、文中は紐体３３とした。
一対の側面１４と２４は、図に現わすと左右対称のため、図と文は一方のみ表現し、他の一方は省略した。
【００１９】  図１の（ａ）は、本発明の家具転倒防止具１の使用状態を示し家具４の上に載置し下箱１０に設けた牽引部３６により上箱２０が上昇して天井５に圧接し家具の転倒を防止している。
図１の（ｂ）は、牽引部３６を利用者が操作している状態を示すものであり、まず、本発明の家具転倒防止具１の高さを家具４と天井５の間隔寸法より略２〜３割低く仮留し、家具４の上に載置して位置決めしてから牽引部３６を操作して上箱２０を上昇させ天井５に圧接させる。
従来の家具転倒防止具と同様に、床６が畳やクッションフロアなどでヘタリが予測される場合は、設置した数日後に牽引部３６を操作して増締めし圧接状態を確認する。その後も定期的に加圧操作を行う必要がある。以上の操作を踏み台なし又は低い踏み台で行える。
図１の（ｃ）は、従来の家具転倒防止具２の設置と高さ調整の状態を示すものであり、高さ調整の位置が高い位置で壁側にあるため踏み台が必要で危険である。
【００２０】  図２の（ｂ）と、（ｄ）は、下箱の側面１４の内側に存在し、実際には見えない部分を点線であらわしてある。
図２の（ａ）は、箱体であって下面が無く前面に開口部を設けた上箱２０であり、前面２３の下部にスリット２９と側面２４の外側の下部に動滑車３２を取りつけ、側面２４の前後方向両端近傍に上下方向のリブ２８を設け動滑車構造を収容する空間を生み出すと共に下箱１０と線接触になり、昇降の際の摩擦を減ずることができる。
【００２１】  図２の（ｂ）は、箱体であって上面が無く、前面に開口部を設けた下箱１０であり、側面１４の内側の上部に定滑車３１を取りつけ、その定滑車３１の近傍で背面１２側に紐体３３の一端を係止する係止部３５を設け側面１４の下部の前面１３側に紐体３３の一端を牽引部３６に取付け、ハンドル３７で巻き取る。巻き取りの回転の固定には公知のラチェット４４と、その固定を解除する解除レバー４６を設ける。紐体３３が吊り下がったターン箇所３９に動滑車３２を懸け回す。なお、ラチェット４４と解除レバー４６の構造は、図５（ｄ）で図示してある。
【００２２】  図２の（ｄ）は、滑車３８で方向を変えた紐体３３が、上箱２０の前面２３の下部に設けたスリット２９を通り下箱１０の前面１３の下部の紐通し部３４を通り牽引部３６に結合される。
ハンドル３７で紐体３３を巻き取り、その巻き戻りを防止するためラチェット構造４４と、その巻き戻り防止を解除する解除レバー４６を設けた。
以上により、下箱１０の前面１３の低い位置に牽引部３６が設けられ、利用者３の手が届きやすくなり踏み台８を使用することなく、又は低い踏み台８で操作できるようになった。
図２の（ｃ）は、上記を説明する模式図であり、動滑車３２のみ上箱２０の側面２４の外側の下部に取り付けられており、その他はすべて下箱１０に取付けられているものである。紐体３３は、係止部３５を始点に牽引部３６に巻き上げられ、動滑車３２が上箱２０とともに上昇する。
【００２３】    図は省略したが、下箱１０の背面１２と上箱２０の背面２２の間に動滑車構造を設ける場合は、下箱１０の背面１２と下箱１０の側面１４の一方の側面との連結する角に軸を上下方向にした滑車を設け、紐体３３の一端を下箱１０の前面１３に設けた紐通し部３４に通し牽引部３６に結合させる。
【００２４】  図３は、ローラーを用い、一部分に滑り材を貼着したものである。（ａ）は、上箱２０であり、一対の側面２４の下部に切り込み部５３を設け、動ローラー５２の長手方向を上箱２０の前後方向と平行に取り付け、動ローラー５２の上部に滑り材５４を貼着したものである。なお、すべり材５４に替えて当該部位を平滑に仕上げてもよい。
【００２５】  図３の（ｂ）は、下箱１０であって、一対の側面１４の上部に切り込み部５３を設け、定ローラー５１の長手方向を下箱１０の前後方向と平行に取り付け、滑車３８を側面１４の内側の下部の前方寄りに取付け、切り込み部５３の近傍に紐体３３の一端を係止する係止部３５を設け、その紐体の一端を前面１３の下部の紐通し部３４に通し、牽引部３６に結合し、ハンドル３７で巻き取る。その巻き戻りを防止するためのラチェット４４と、その巻き戻り防止を解除する解除レバー４６で構成する。
【００２６】  図３の（ｃ）は、二本の紐体３３を用いたものであり、上箱２０の側面２４の下部に切り込み部５３と動ローラー５２を取りつけ、上箱２０の側面２４の外側に設けたくぼみ部５５に滑り材５４を貼着し、下箱１０の側面１４の上部の切り込み部５３に定ローラー５１を取りつける。
その定ローラー５１の近傍に二本の紐体３３の一端を留める係止部３５を設け、その係止部３５から側面１４の内側の下方に向け溝５６を設ける。
その溝部５６に紐体３３が納まり紐体３３の運行で紐体３３同士がこすれることなく又、対向する上箱の側面２４との接触を避けられる。
紐体３３を動ローラー５２と定ローラー５１に懸け回し側面１４の外側の紐通し部３４に通し、紐体３３を手で牽引しながら第一コードストッパー４１に通して仮留する。
図４（ｂ）に示す通りに紐体３３を第一コードストッパー入り口４１Ａに挿入し、出口４１Ｂから紐体３３Ａと紐体３３Ｂに分けて入り口４１Ａ側に回して交差させて出口側４１Ｂ側に戻すと紐結び状４３となる。
次いで第二コードストッパー４２に通し、第一コードストッパー４１と第二コードストッパー４２を圧接させることで紐体３３は、戻ることなく完全に固定される。
牽引と巻き戻り防止を手作業で行うことになるが、目的は十分に果たし簡単な構造で安くできる。
なお、第一コードストッパーを二本通しタイプにすれば紐結び４３の作業は不要となる。
【００２７】  図３の（ｄ）は。定ローラー５１に懸け回した紐体３３は、側面１４の外側のローラー３８で方向を変え紐通し部３４に通す。
紐体３３を手で牽引しながら前面１３の下部に設けたテーパー状の紐とじ具４７に巻き付けて係止する。
内部がテーパー状の紐とじ具４７は、封筒や袋物の蓋に一端を固着させた糸や紐を巻き付けて閉じる公知の形態であり、摩擦力の強い材で形成される。
【００２８】  下記に関する図面は省略した。理由は、材質の変更だけで形状が変わらないためである。
動滑車３２と定滑車３１が各一輪の場合は、滑り材で十分機能する。そこで、動滑車３２、定滑車３１、滑車３８、ローラー３８、動ローラー５２、定ローラー５１などの紐体３３の方向を変える部材は、いずれか又は全部を滑り材で形成してもよい。少なくとも紐体３３に接触する部位を滑り材にしてもよい。又は、各部位を平滑に仕上げてもよい。滑り効果が十分な箇所は、回転機能を廃止し、所定部位に固着させてもよい。
【００２９】  図４の（ａ）は、金属線のネット板を用いたものであり、ネット状の上箱の側面７１の下部に動ローラー５２を側面７１と平行に取付け、ネット状の下箱の側面７２の上部に定ローラー５１を側面７２と平行に取りつける。
紐体３３は、一端を係止部３５に係止し、動ローラー５２と定ローラー５１に網目を通して懸け回し、側面７２の外側の紐通し部３４を通り第一コードストッパー４１と第二コードストッパー４２に通し、紐体３３を図４の（ｂ）の紐結び４３状態にして固定させる構成である。
【００３０】  網目に紐体３３を通すので図３の切り欠き部５３のような加工が不要となる。
下箱１０の側面１４の内側と上箱２０の側面２４の外側の間の目視できない密閉空間に、動滑車構造３０や巻き上げ構造６０を設けるので、組み立てをしつつ行う紐体３３の懸け回し作業に熟練が必要である。しかしネットの網目を利用すれば外側から目視でき指や工具を差し入れられて作業は容易になる。
【００３１】  材料は金属線の他に、木材を格子状にしたものや金属板や樹脂板の丸穴など網目となる隙間部の多いものなら良い。
上箱２０下箱１０とも全面をネットで形成することで、木材の板材と比べ薄くなる。
上箱２０の全面をネットで形成し、上箱２０の上部に照明部材を設けることで、間接照明など天井部分を明るくする照明器具を兼ねるものにもなる。
【００３２】  各面のネットの枠と枠を環状体で連結することで、枠の丸棒を芯にした二連ヒンジ状となり、丈夫で折り畳みの自由度が高く、容積が少なくなり輸送から陳列まで有利である。
【００３３】  図５は、巻き上げによって高さ調整をするものであって、（ａ）は、平面図であり（ｂ）は、正面図であり、（ｃ）は、側面図であり、（ｄ）は、ラチェット構造の側面図であり、（ｅ）は、巻き付け部を示す側面図である。
図５の（ａ）の下箱の側面１４の内側上部に滑車３１を取りつけ、下部に軸６１を側面１４と平行に設け、その軸６１の軸受６２を滑車３１の直下と下箱の前面１３の下部に設ける。
上箱２０の側面２４の外側に紐体３３の一端の係止部３５を設け、軸６１の滑車３１の直下から前面方向に紐体３３の巻き付け部６４を設け、その巻き付け部６４の前面１３側に紐体３３の一端を係止部６３に固定する。
【００３４】  図５の（ｅ）は、軸６１の巻き付け部６４の紐体３３の巻き付け状態を示し、
滑車３１から斜め前方に紐体３３の係止部６３があることにより、巻き始めの巻き間隔が広く、巻き付けを進めるに従い間隔が狭くなり、滑車３１の直下になると巻き重ねが起きる。
巻き付け部６４で紐体３３の巻き重ねがあると重ねが崩れた時にゆるみが生ずる。そのため、係止部６３の位置と、巻き付け部６４の長さと直径は、紐体３３の巻き取り必要寸法が巻き付け部６４に紐体３３の巻き重なりが起きずにすべて巻き付け部６４に直接接して巻き付けられる状態の寸法にすることで強固に巻き付けられる。
【００３５】  図５の（ｄ）は公知のラチェット構造４４であり爪４５に解除レバー４６を取りつけたもので各図のラチェット４４はこの構造である。
【符号の説明】
【００３６】１…家具転倒防止具、  １０…下箱、  ２０…上箱、  ３１…定滑車、  ３２…動滑車、  ３３…紐体、  ３４…紐通し部    ３５…係止部、  ３６…牽引部、  ５１…定ローラー、  ５２…動ローラー、  ６１…回転軸、  ６３…軸の紐体係止部、  ４…巻き付け部、  ７１…ネット状の上箱側面、  ７２…ネット状の下箱側面、
【図１】
0006547210.tif 000002
【図２】
0006547210.tif 000003
【図３】
0006547210.tif 000004
【図４】
0006547210.tif 000005
【図５】
0006547210.tif 000006